(57)【要約】【課題】消費者自身に自分に合ったガットを容易に選択させ得るガット用パッケージを提供する。【解決手段】テニス又はバドミントンのガットの包装及び展示に供されるパッケージにおいて、ガットの性能に関するデータを示す性能データ表示部４と、この性能データ表示部に示された性能を有するガットを使用するのに相応しいプレーヤの仮想モデルを示す仮想モデルプレーヤ表示部５と、を備えた。【選択図】  図１
0003148808.tif 000002
【実用新案登録請求の範囲】
【請求項１】
軟式テニス、硬式テニス又はバドミントンのガットの包装及び展示に供されるパッケージにおいて、
ガットの性能に関するデータを示す性能データ表示部と、
この性能データ表示部に示された性能を有するガットを使用するのに相応しいプレーヤの仮想モデルを示す仮想モデルプレーヤ表示部と、
を備えたことを特徴とするガット用パッケージ。
【請求項２】
請求項１に記載のガット用パッケージにおいて、
さらに、前記仮想モデルに対応するキヤラクタの図柄が描かれたことを特徴とするガット用パッケージ。
【請求項３】
請求項２に記載のガット用パッケージにおいて、
さらに、前記キヤラクタのプロフィールが記載されたキヤラクタプロフィール表示部を備えたことを特徴とするガット用パッケージ。
【請求項４】
請求項２又は３に記載のガット用パッケージにおいて、
さらに、前記仮想モデルが当該ガットを使用した場合に該仮想モデルが発すると目される当該ガットに対するコメントを示すコメント表示部を備えたことを特徴とするガット用パッケージ。
【考案の詳細な説明】
【技術分野】
【０００１】
本考案は、軟式又は硬式テニス用のガットやバドミントン用のガットの包装及び展示に好適なガット用パッケージに関する。
【背景技術】
【０００２】
この種のガットは、通常、所定の長さに裁断されコイル状に巻回された状態で、吊り下げ用孔を備えた透明な袋状のパッケージに、当該ガットの商品名、品番、ガットの種別、ガットの性能等が印刷された紙片と共に収容され、スポーツ用品店の店頭に設置された什器のフック又は吊下用バーに前記吊り下げ用孔を介して吊下陳列されている。
【０００３】
ガットを買い求める消費者は、店頭において陳列品の中から幾種類かの商品を手に取り、それらのパッケージを透過して見える上記紙片の表示を順次見て、目的の商品を選択する。
【考案の開示】
【考案が解決しようとする課題】
【０００４】
しかしながら、従来のガット用パッケージにあっては、以下に述べるとおり、特にガットの性能に関する情報の提供手段が具体性に欠けるものであったため、消費者に自分に合ったガットを見つけさせることが困難であり、特に初心者の場合、知識不足もあって困難さはより顕著であった。
【０００５】
すなわち、従来のガット用パッケージにおけるガットの性能に関する表示は、例えば、バドミントン用のガットの場合、次のようであった。
反発力          ７
打球音          ７
衝撃吸収性      ６
コントロール    ６
耐久性          ７
このように、ガットのメーカーが独自に設定した複数の評価項目が掲げられるとともに、それぞれの評価項目についてこれまたメーカーが独自に判定した１０段階評価が記載されているだけであった。このような性能表示は、一見具体的なものに見えるが、実際のところ、パッケージには表示面積の制約上評価の判定基準が示されていないため、消費者は手に取った商品が上記のような評価の記載から直ちに自分に適したガットであるのか否か判断できなかった。このため、商品を決定するにあたって、消費者は、過去に使用したガットの性能評価を思い出してそれと対比し商品の適合性を類推するか、或いは、経験、知識の豊富な店員にアドバイスを求めざるを得なかった。しかし、前者の決定方法が有効なケースは、あくまでも過去に使用していたガットと今度選択しようとするガットとが同じメーカーの同じシリーズのものであることが前提であり、同じメーカーのものでもシリーズが異なったりすると全く用をなさない。一方、後者の決定方法が有効なケースは、バドミントン用品の専門店のようにあくまでも店に経験、知識の豊富な店員がいてその者のアドバイスを受けられることが前提であり、例えばスーパーマーケット等の大型小売店舗におけるスポーツ用品コーナーのように専門の店員が配されていない店では経験、知識の豊富な店員のアドバイスは望めない。
【０００６】
また、従来、上記のような評価に加えて、例えば、ハードヒッター用、初心者用など、プレーヤの能力を表示したパッケージも見受けられる。しかし、それであっても、消費者の、自分がハードヒッターなのか初心者なのか、といった自己判断に依存する表示に過ぎないため、商品選択の助けとなるものではなかった。
【０００７】
そこで、本考案は、上記従来の問題点を解決すべく創案されたものであり、消費者自身に自分に合ったガットを容易に選択させ得るガット用パッケージを提供することを目的としている。
【課題を解決するための手段】
【０００８】
上記課題を解決するため、本考案に係るガット用パッケージは、ガットの性能に関するデータを示す性能データ表示部と、この性能データ表示部に示された性能を有するガットを使用するのに相応しいプレーヤの仮想モデルを示す仮想モデルプレーヤ表示部と、を備えたことを特徴とするものである。
【０００９】
この特定事項により、消費者は、性能データ表示部に加えて仮想モデルプレーヤ表示部に示されたプレーヤの仮想モデルを読み取ることで、そのガットがどのようなタイプのプレーヤに適合しているのかという点を具体的に把握することができるとともに、その仮想モデルと自分とを比較することができるので、そのガットが自分に合ったものなのか否かを的確に判断し得ることとなる。
【００１０】
また、上記のガット用パッケージにおいて、さらに、前記仮想モデルに対応するキャラクタの図柄が描かれていてもよい。
【００１１】
この場合、消費者は、上記キャラクタを見ることで、上記の仮想モデルの具体的なイメージを掴むことができるため、より一層、ガットの適合性を確実に判断し得ることとなる。
【００１２】
また、上記のガット用パッケージにおいて、さらに、前記キャラクタのプロフィールが記載されたキャラクタプロフィール表示部を備えていてもよい。
【００１３】
この場合、消費者は、キャラクタプロフィール表示部を見ることにより、上記キャラクタに親近感を覚えることとなり、仮想モデルについて掴んだイメージをより一層具体的に把握し得ることとなる。
【００１４】
また、上記のガット用パッケージにおいて、さらに、前記仮想モデルが当該ガットを使用した場合に該仮想モデルが発すると目される当該ガットに対するコメントを示すコメント表示部を備えていてもよい。
【００１５】
この場合、コメント表示部に記載されたコメントの内容が、あたかも現実のプレーヤが発したコメントのように受け取ることができるため、消費者はガットの自己への適合性についてより一層的確に把握し得ることとなる。
【００１６】
なお、本考案において、パッケージとは、例えばポリプロピレンをはじめとする各種の樹脂製フィルム又は樹脂製シートから構成される袋状のものや樹脂製のハードケース状のもの、或いは紙から構成される袋状のものや箱状のものなど、ガットに適するあらゆる包装形態を含むものである。
【考案の効果】
【００１７】
本考案によれば、消費者自身に自分に合ったガットを容易に選択させことができるガット用パッケージを提供することができる。
【考案を実施するための最良の形態】
【００１８】
以下、本考案の実施の形態について、図面を参照して説明する。
【００１９】
図１〜図４は、本考案に係るガット用パッケージ（以下、単にパッケージともいう）をバドミントン用ガットのパッケージに適用した場合の実施形態を示し、図１はその一例であるガット用パッケージの背面図、図２はその正面図、図３は他の例のガット用パッケージの背面図、図４はその正面図である。
【００２０】
このパッケージ１は、ポリプロピレン製のフィルムからなる袋本体２と、この袋本体２内にガット（図示しない）と共に収納される商品表示シート３とを含むものである。
【００２１】
袋本体２は、全体が矩形状に形成されるとともに、上片２１の中央部に吊下用孔２２が貫設されている。この袋本体２の開口部は、上片２１の基端縁もしくは袋本体２の下縁部に設けられ、開口部に連設されたフラップ（図示しない）で開閉される。フラップの係止手段は、例えば、この種の袋において一般に使用されている剥離、再接着可能な粘着剤とされている。
【００２２】
上記商品表示シート３は、袋本体２の背面側に臨む背面部３１と、袋本体２の正面側に臨む正面部３２とから構成され、これら背面部３１と正面部３２とは相互の下端縁を介して連接されている。このような構成は、例えば、商品表示シート３を、幅寸法が袋本体２の幅寸法に対応するとともに縦寸法が袋本体２の縦寸法の約２倍とされた縦長の長方形状の厚紙を、縦方向の中央部で２つ折りにすることで達成される。なお、このような構成に限らず、背面部３１と正面部３２とをそれぞれ別体の厚紙で構成してもよい。
【００２３】
このようになる商品表示シート３には、その背面部３１に、図１に示すように、性能データ表示部４と、仮想モデルプレーヤ表示部５と、キャラクタの図柄６と、キャラクタプロフィール表示部７と、コメント表示部８と、ポップ表示部９と、商品説明部１０と、注意書き部１１と、メーカー表示部１２とが設けられている。以下、これら各部について詳述する。
【００２４】
性能データ表示部４は、この袋本体２内に所定の長さに裁断されコイル状に巻回された状態で収容されるガットの性能に関するデータを示すものである。図示例では、ガットの性能として、耐久性（DURABILITY）４１、反発力(POWER)４２、ソフト感(SOFT FEELING)４３、及びスピン(SPIN)４４の各項目が掲げられるとともに、それら各項目４１〜４４についての１０段階評価がインジケーターバー４５により表示されている。
【００２５】
なお、この性能データ表示部４における表示項目４１〜４４は上記の例に限るものではなく、例えば打球音、衝撃吸収性、コントロール性など他の項目も含んでいてもよく、要するにメーカーがアピールしたい任意の項目とされる。また、それら各項目の評価の詳細も、上記の例のようにインジケーターバー４５に限らず、例えば円グラフなど他の表示方法によってもよい。
【００２６】
仮想モデルプレーヤ表示部５は、上記した性能データ表示部４に示された性能を有するガットを使用するのに相応しいプレーヤの仮想モデルを示すものである。図示例では、仮想モデルの年齢５１、身長５２、体重５３、プレイスタイル５４、得意なショット５５、使用ラケット５６、ガットの種類とテンション５７の各項目と、名前５８とが表示されている。このような表示がされていることにより、これを見た消費者は、仮想モデルが、身長が１７０cm、体重が６２kgで、スマッシュを得意とするハードヒッターであり、当該ガットを２３ポンドの張力で張った「GRAPOWER 88 LONG 3U5」という商品名のラケットを使用している高神剛という名前の１６歳のバドミントンプレーヤである、ということを読み取る。そして、消費者は、それに基づいて、当該ガットが、どのような体格を持った、どのようなプレイスタイルを採るプレーヤに相応しいかという具体的なイメージを把握することができ、そのイメージと自分とを比較することで消費者は当該ガットが自分に適しているか否かを判断することができる。
【００２７】
なお、仮想モデルプレーヤ表示部５の表示項目は上記した例に限るものではなく、消費者に、仮想モデルのプレーヤについてのイメージをより具体的に把握させることができる項目であれば、どのような項目であってもよい。
【００２８】
キャラクタの図柄６は、上記した仮想モデルに対応するものであり、背面部３１にはスペースの関係上、顔部分のみが表示されているが、正面部３２には、図２に示すように、プレーしているキャラクタの全身の図柄が描かれている。消費者は、これらの図柄６を見ることで、仮想モデルについてより具体的なイメージを掴むことができるため、より一層、ガットの適合性を確実に判断し得ることとなる。
【００２９】
キャラクタプロフィール表示部７は、上記のキャラクタのプロフィールを示すものである。この例では、「強烈なスマッシュが持ち味の剛戦高校バドミントン部１年生。普段は無口でシャイな性格だが、バドミントンにかける情熱は人一倍。ライバル打倒のため、毎日のトレーニングは欠かさない。逆立った髪と赤いリストバンドがトレードマーク。」と表示されている。消費者は、このようなプロフィール表示部７の表示を見ることにより、上記キャラクタに親近感を覚えることとなって、仮想モデルについて掴んだイメージをより一層具体的に把握し得ることとなる。
【００３０】
コメント表示部８は、上記の仮想モデル（ここでは上記の高神剛という名の高校生のプレーヤ）が当該ガットを使用した場合に、その仮想モデルが発すると目される当該ガットに対するコメントを示すものである。この例では、「ガンガン打っても大丈夫！これなら思うままにスマッシュが打てるっ！WOW! WHAT A DURABLE STRING! I CAN SMASH ALL I WANT!」と表示されている。消費者は、このようなコメント表示部８に記載されたコメントの内容が、あたかも現実のプレーヤが発したコメントのように受け取ることができるため、消費者はガットの自己への適合性についてより一層的確に把握し得ることとなる。
【００３１】
ポップ表示部９は、陳列時にこのパッケージに収容された商品が店頭で目立つようにするためのものである。この例では、「超耐久 SUPER DURABILITY  GOOD GOSEN BADMINTON」と表示されている。
【００３２】
商品説明部１０は、商品名、素材、ガット（ストリング）の太さ及び長さ、ラケットに張設するときのテンションの適正値をそれぞれ示すものである。
【００３３】
注意書き部１１は、ガットの取扱時の注意を示すものである。
【００３４】
メーカー表示部１２は、当該ガットの製造者を示すものである。
【００３５】
なお、図２において、符号３３は、収納されたガットの一部を露出表示するための透孔部を示す。
【００３６】
図３は、本考案の一実施形態の他の例を示す背面図、図４はその正面図である。
【００３７】
これらの図に示す例は、図１及び図２に示す例と、注意書き部１１とメーカー表示部１２の２ヶ所を除き、各表示部４〜１０の表示内容が異なるだけであるので、上記の例と同一構成要素には同一符号を付してその説明を省略し、異なる表示内容のうち主たる部分について以下列記する。
【００３８】
この例における仮想モデルプレーヤ表示部５には、名前は花咲桃音、年齢は１４歳、身長は１４９cm、体重は？kg、プレイスタイルはレシーバ、得意なショットはレシーブ、使用ラケットは「MIRACLE LIGHT 77F 5U6」、ガットのテンションは２０ポンドと表示されている。このような仮想モデルの特徴を見た消費者は、まずは当該ガットが女子プレーヤ向けである、ということを一番に把握し、以下順次、当該ガットが、どのような体格を持った、どのようなプレイスタイルを採る女子プレーヤに相応しいかという具体的なイメージを把握することとなる。
【００３９】
キャラクタの図柄６は、花咲桃音という名前の女子に対応したものとされている。この例でも、背面部３１にはスペースの関係上、顔部分のみが表示されているが、正面部３２には、図４に示すように、プレーしているキャラクタの全身の図柄が描かれている。消費者は、これらの図柄６を見ることで、仮想モデルについてより具体的なイメージを掴むことができるため、より一層、ガットの適合性を確実に判断し得ることとなる。
【００４０】
キャラクタプロフィール表示部７は、この例では、「ポニーテールがトレードマークの糸巻中学校バドミントン部２年生。明るくハキハキした性格で、クラブを盛り上げるムードメーカー的存在。小柄だが、軽いフットワークを生かしたプレイが特徴。現在、レギュラー目指して練習する毎日を送る。」と表示されている。消費者は、このようなプロフィール表示部７の表示を見ることにより、上記キャラクタに親近感を覚えることとなって、仮想モデルについて掴んだイメージをより一層具体的に把握し得ることとなる。
【００４１】
コメント表示部８は、上記の仮想モデル（ここでは上記の花咲桃音という名の中学生のプレーヤ）が当該ガットを使用した場合に、その仮想モデルが発すると目される当該ガットに対するコメントを示すものである。この例では、「柔らかくて音がいい！クリアーもよく飛ぶし、こんなガット探してた！  THE FEELING! THE SOUND! THIS IS THE STRING I HAVE BEEN SEEKING FOR!」と表示されている。消費者は、このようなコメント表示部８に記載されたコメントの内容が、あたかも現実のプレーヤが発したコメントのように受け取ることができるため、消費者はガットの自己への適合性についてより一層的確に把握し得ることとなる。
【００４２】
以上、本考案の一実施形態について、袋本体２内に上記構成の商品表示シート３をガットと共に収納する例を挙げて説明したが、本考案はこれに限らず、例えば、商品表示シート３を排して、袋本体２に上記した各表示部４〜１２を直接印刷してもよい。
【００４３】
また、パッケージとしてポリプロピレン製の袋を例に挙げたが、これに限らず、樹脂製のハードケース状のものであっても、或いは紙から構成される袋状のものや箱状のものであってもよい。
【００４４】
さらに、表示部としては、少なくとも、性能データ表示部４と仮想モデルプレーヤ表示部５の２つがあればよく、これらにキャラクタの図柄６、キャラクタプロフィール表示部７、コメント表示部８の一つ又は複数を加えるのは任意である。
【００４５】
また、上記の実施形態では、バドミントン用のガットに適用されるパッケージについて説明したが、本考案は軟式テニス用のガットや硬式テニス用のガットにも適用し得るものである。
【図面の簡単な説明】
【００４６】
【図１】本考案の一実施形態におけるガット用パッケージの一例を示す背面図である。
【図２】図１に示すガット用パッケージの正面図である。
【図３】ガット用パッケージの他の例を示す背面図である。
【図４】図２に示すガット用パッケージの正面図である。
【符号の説明】
【００４７】
１   パッケージ
４  性能データ表示部
５  仮想モデルプレーヤ表示部
６  キヤラクタの図柄
７  キヤラクタプロフィール表示部
８  コメント表示部
【図１】
0003148808.tif 000003
【図２】
0003148808.tif 000004
【図３】
0003148808.tif 000005
【図４】
0003148808.tif 000006
【手続補正書】
【提出日】平成20年12月19日(2008.12.19)
【手続補正１】
【補正対象書類名】実用新案登録請求の範囲
【補正対象項目名】全文
【補正方法】変更
【補正の内容】
【実用新案登録請求の範囲】
【請求項１】
軟式テニス、硬式テニス又はバドミントンのガットの包装及び展示に供されるパッケージにおいて、
ガットの性能に関するデータが表示される性能データ表示欄と、
この性能データ表示欄に表示された性能を有するガットを使用するのに相応しいプレーヤの仮想モデルが表示される仮想モデルプレーヤ表示欄と、
が設けられたことを特徴とするガット用パッケージ。
【請求項２】
請求項１に記載のガット用パッケージにおいて、
さらに、前記仮想モデルに対応するキヤラクタの図柄が描かれたことを特徴とするガット用パッケージ。
【請求項３】
請求項２に記載のガット用パッケージにおいて、
さらに、前記キヤラクタのプロフィールが表示されるキヤラクタプロフィール表示欄が設けられたことを特徴とするガット用パッケージ。
【請求項４】
請求項２又は３に記載のガット用パッケージにおいて、
さらに、前記仮想モデルが当該ガットを使用した場合に該仮想モデルが発すると目される当該ガットに対するコメントが表示されるコメント表示欄が設けられたことを特徴とするガット用パッケージ。
【手続補正２】
【補正対象書類名】明細書
【補正対象項目名】全文
【補正方法】変更
【補正の内容】
【考案の詳細な説明】
【技術分野】
【０００１】
本考案は、軟式又は硬式テニス用のガットやバドミントン用のガットの包装及び展示に好適なガット用パッケージに関する。
【背景技術】
【０００２】
この種のガットは、通常、所定の長さに裁断されコイル状に巻回された状態で、吊り下げ用孔を備えた透明な袋状のパッケージに、当該ガットの商品名、品番、ガットの種別、ガットの性能等が印刷された紙片と共に収容され、スポーツ用品店の店頭に設置された什器のフック又は吊下用バーに前記吊り下げ用孔を介して吊下陳列されている。
【０００３】
ガットを買い求める消費者は、店頭において陳列品の中から幾種類かの商品を手に取り、それらのパッケージを透過して見える上記紙片の表示を順次見て、目的の商品を選択する。
【考案の開示】
【考案が解決しようとする課題】
【０００４】
しかしながら、従来のガット用パッケージにあっては、以下に述べるとおり、特にガットの性能に関する情報の提供手段が具体性に欠けるものであったため、消費者に自分に合ったガットを見つけさせることが困難であり、特に初心者の場合、知識不足もあって困難さはより顕著であった。
【０００５】
すなわち、従来のガット用パッケージにおけるガットの性能に関する表示は、例えば、バドミントン用のガットの場合、次のようであった。
反発力          ７
打球音          ７
衝撃吸収性      ６
コントロール    ６
耐久性          ７
このように、ガットのメーカーが独自に設定した複数の評価項目が掲げられるとともに、それぞれの評価項目についてこれもまたメーカーが独自に判定した１０段階評価が記載されているだけであった。このような性能表示は、一見具体的なものに見えるが、実際のところ、パッケージには表示面積の制約上評価の判定基準が示されていないため、消費者は手に取った商品が上記のような評価の記載から直ちに自分に適したガットであるのか否か判断できなかった。このため、商品を決定するにあたって、消費者は、過去に使用したガットの性能評価を思い出してそれと対比し商品の適合性を類推するか、或いは、経験、知識の豊富な店員にアドバイスを求めざるを得なかった。しかし、前者の決定方法が有効なケースは、あくまでも過去に使用していたガットと今度選択しようとするガットとが同じメーカーの同じシリーズのものであることが前提であり、同じメーカーのものでもシリーズが異なったりすると全く用をなさない。一方、後者の決定方法が有効なケースは、バドミントン用品の専門店のようにあくまでも店に経験、知識の豊富な店員がいてその者のアドバイスを受けられることが前提であり、例えばスーパーマーケット等の大型小売店舗におけるスポーツ用品コーナーのように専門の店員が配されていない店では経験、知識の豊富な店員のアドバイスは望めない。
【０００６】
また、従来、上記のような評価に加えて、例えば、ハードヒッター用、初心者用など、プレーヤの能力を表示したパッケージも見受けられる。しかし、それであっても、消費者の、自分がハードヒッターなのか初心者なのか、といった自己判断に依存する表示に過ぎないため、商品選択の助けとなるものではなかった。
【０００７】
そこで、本考案は、上記従来の問題点を解決すべく創案されたものであり、消費者自身に自分に合ったガットを容易に選択させ得るガット用パッケージを提供することを目的としている。
【課題を解決するための手段】
【０００８】
上記課題を解決するため、本考案に係るガット用パッケージは、ガットの性能に関するデータが表示される性能データ表示欄と、この性能データ表示欄に表示された性能を有するガットを使用するのに相応しいプレーヤの仮想モデルが表示される仮想モデルプレーヤ表示欄と、が設けられたことを特徴とするものである。
【０００９】
この特定事項により、消費者は、性能データ表示欄に加えて仮想モデルプレーヤ表示欄に示されたプレーヤの仮想モデルを読み取ることで、そのガットがどのようなタイプのプレーヤに適合しているのかという点を具体的に把握することができるとともに、その仮想モデルと自分とを比較することができるので、そのガットが自分に合ったものなのか否かを的確に判断し得ることとなる。
【００１０】
また、上記のガット用パッケージにおいて、さらに、前記仮想モデルに対応するキャラクタの図柄が描かれていてもよい。
【００１１】
この場合、消費者は、上記キャラクタを見ることで、上記の仮想モデルの具体的なイメージを掴むことができるため、より一層、ガットの適合性を確実に判断し得ることとなる。
【００１２】
また、上記のガット用パッケージにおいて、さらに、前記キャラクタのプロフィールが表示されるキャラクタプロフィール表示欄が設けられていてもよい。
【００１３】
この場合、消費者は、キャラクタプロフィール表示欄に表示されたキャラクタのプロフィールを見ることにより、上記キャラクタに親近感を覚えることとなり、仮想モデルについて掴んだイメージをより一層具体的に把握し得ることとなる。
【００１４】
また、上記のガット用パッケージにおいて、さらに、前記仮想モデルが当該ガットを使用した場合に該仮想モデルが発すると目される当該ガットに対するコメントが表示されるコメント表示欄が設けられていてもよい。
【００１５】
この場合、コメント表示欄に表示されたコメントの内容が、あたかも現実のプレーヤが発したコメントのように受け取ることができるため、消費者はガットの自己への適合性についてより一層的確に把握し得ることとなる。
【００１６】
なお、本考案において、パッケージとは、例えばポリプロピレンをはじめとする各種の樹脂製フィルム又は樹脂製シートから構成される袋状のものや樹脂製のハードケース状のもの、或いは紙から構成される袋状のものや箱状のものなど、ガットに適するあらゆる包装形態を含むものである。
【考案の効果】
【００１７】
本考案によれば、消費者自身に自分に合ったガットを容易に選択させことができるガット用パッケージを提供することができる。
【考案を実施するための最良の形態】
【００１８】
以下、本考案の実施の形態について、図面を参照して説明する。
【００１９】
図１〜図４は、本考案に係るガット用パッケージ（以下、単にパッケージともいう）をバドミントン用ガットのパッケージに適用した場合の実施形態を示し、図１はその一例であるガット用パッケージの背面図、図２はその正面図、図３は他の例のガット用パッケージの背面図、図４はその正面図である。
【００２０】
このパッケージ１は、ポリプロピレン製のフィルムからなる袋本体２と、この袋本体２内にガット（図示しない）と共に収納される商品表示シート３とを含むものである。
【００２１】
袋本体２は、全体が矩形状に形成されるとともに、上片２１の中央部に吊下用孔２２が貫設されている。この袋本体２の開口部は、上片２１の基端縁もしくは袋本体２の下縁部に設けられ、開口部に連設されたフラップ（図示しない）で開閉される。フラップの係止手段は、例えば、この種の袋において一般に使用されている剥離、再接着可能な粘着剤とされている。
【００２２】
上記商品表示シート３は、袋本体２の背面側に臨む背面部３１と、袋本体２の正面側に臨む正面部３２とから構成され、これら背面部３１と正面部３２とは相互の下端縁を介して連接されている。このような構成は、例えば、商品表示シート３を、幅寸法が袋本体２の幅寸法に対応するとともに縦寸法が袋本体２の縦寸法の約２倍とされた縦長の長方形状の厚紙を、縦方向の中央部で２つ折りにすることで達成される。なお、このような構成に限らず、背面部３１と正面部３２とをそれぞれ別体の厚紙で構成してもよい。
【００２３】
このようになる商品表示シート３には、その背面部３１に、図１に示すように、性能データ表示欄４と、仮想モデルプレーヤ表示欄５と、キャラクタの図柄６と、キャラクタプロフィール表示欄７と、コメント表示欄８と、ポップ表示欄９と、商品説明欄１０と、注意書き欄１１とが設けられている。以下、これら各部について詳述する。
【００２４】
性能データ表示欄４は、この袋本体２内に所定の長さに裁断されコイル状に巻回された状態で収容されるガットの性能に関するデータが表示されるものである。図示例では、ガットの性能として、耐久性（DURABILITY）４１、反発力(POWER)４２、ソフト感(SOFT FEELING)４３、及びスピン(SPIN)４４の各項目が掲げられるとともに、それら各項目４１〜４４についての１０段階評価がインジケーターバー４５により表示されている。
【００２５】
なお、この性能データ表示欄４における表示項目４１〜４４は上記の例に限るものではなく、例えば打球音、衝撃吸収性、コントロール性など他の項目も含んでいてもよく、要するにメーカーがアピールしたい任意の項目とされる。また、それら各項目の評価の詳細も、上記の例のようにインジケーターバー４５に限らず、例えば円グラフなど他の表示方法によってもよい。
【００２６】
仮想モデルプレーヤ表示欄５は、上記した性能データ表示欄４に示された性能を有するガットを使用するのに相応しいプレーヤの仮想モデルが表示されるものである。図示例では、仮想モデルの年齢５１、身長５２、体重５３、プレイスタイル５４、得意なショット５５、使用ラケット５６、ガットの種類とテンション５７の各項目と、名前５８とが表示されている。このような表示がされていることにより、これを見た消費者は、仮想モデルが、身長が１７０cm、体重が６２kgで、スマッシュを得意とするハードヒッターであり、当該ガットを２３ポンドの張力で張った「LONG」という商品名のラケットを使用している高神剛という名前の１６歳のバドミントンプレーヤである、ということを読み取る。そして、消費者は、それに基づいて、当該ガットが、どのような体格を持った、どのようなプレイスタイルを採るプレーヤに相応しいかという具体的なイメージを把握することができ、そのイメージと自分とを比較することで消費者は当該ガットが自分に適しているか否かを判断することができる。
【００２７】
なお、仮想モデルプレーヤ表示欄５の表示項目は上記した例に限るものではなく、消費者に、仮想モデルのプレーヤについてのイメージをより具体的に把握させることができる項目であれば、どのような項目であってもよい。
【００２８】
キャラクタの図柄６は、上記した仮想モデルに対応するものであり、背面部３１にはスペースの関係上、顔部分のみが表示されているが、正面部３２には、図２に示すように、プレーしているキャラクタの全身の図柄が描かれている。消費者は、これらの図柄６を見ることで、仮想モデルについてより具体的なイメージを掴むことができるため、より一層、ガットの適合性を確実に判断し得ることとなる。
【００２９】
キャラクタプロフィール表示欄７は、上記のキャラクタのプロフィールが表示されるものである。この例では、「強烈なスマッシュが持ち味の剛戦高校バドミントン部１年生。普段は無口でシャイな性格だが、バドミントンにかける情熱は人一倍。ライバル打倒のため、毎日のトレーニングは欠かさない。逆立った髪と赤いリストバンドがトレードマーク。」と表示されている。消費者は、このようなプロフィール表示欄７の表示を見ることにより、上記キャラクタに親近感を覚えることとなって、仮想モデルについて掴んだイメージをより一層具体的に把握し得ることとなる。
【００３０】
コメント表示欄８は、上記の仮想モデル（ここでは上記の高神剛という名の高校生のプレーヤ）が当該ガットを使用した場合に、その仮想モデルが発すると目される当該ガットに対するコメントを示すものである。この例では、「ガンガン打っても大丈夫！これなら思うままにスマッシュが打てるっ！WOW! WHAT A DURABLE STRING! I CAN SMASH ALL I WANT!」と表示されている。消費者は、このようなコメント表示欄８に記載されたコメントの内容が、あたかも現実のプレーヤが発したコメントのように受け取ることができるため、消費者はガットの自己への適合性についてより一層的確に把握し得ることとなる。
【００３１】
ポップ表示欄９は、陳列時にこのパッケージに収容された商品が店頭で目立つようにするためのものである。この例では、「超耐久 SUPER DURABILITY」と表示されている。
【００３２】
商品説明欄１０は、商品名、素材、ガット（ストリング）の太さ及び長さ、ラケットに張設するときのテンションの適正値が表示されるものである。
【００３３】
注意書き欄１１は、ガットの取扱時の注意が表示されるものである。
【００３４】
なお、図２において、符号３３は、収納されたガットの一部を露出表示するための透孔部を示す。
【００３５】
図３は、本考案の一実施形態の他の例を示す背面図、図４はその正面図である。
【００３６】
これらの図に示す例は、図１及び図２に示す例と、注意書き欄１１を除き、各表示欄４〜１０の表示内容が異なるだけであるので、上記の例と同一構成要素には同一符号を付してその説明を省略し、異なる表示内容のうち主たる部分について以下列記する。
【００３７】
この例における仮想モデルプレーヤ表示欄５には、名前は花咲桃音、年齢は１４歳、身長は１４９cm、体重は？kg、プレイスタイルはレシーバ、得意なショットはレシーブ、使用ラケットは「LIGHT」、ガットのテンションは２０ポンドと表示されている。このような仮想モデルの特徴を見た消費者は、まずは当該ガットが女子プレーヤ向けである、ということを一番に把握し、以下順次、当該ガットが、どのような体格を持った、どのようなプレイスタイルを採る女子プレーヤに相応しいかという具体的なイメージを把握することとなる。
【００３８】
キャラクタの図柄６は、花咲桃音という名前の女子に対応したものとされている。この例でも、背面部３１にはスペースの関係上、顔部分のみが表示されているが、正面部３２には、図４に示すように、プレーしているキャラクタの全身の図柄が描かれている。消費者は、これらの図柄６を見ることで、仮想モデルについてより具体的なイメージを掴むことができるため、より一層、ガットの適合性を確実に判断し得ることとなる。
【００３９】
キャラクタプロフィール表示欄７は、この例では、「ポニーテールがトレードマークの糸巻中学校バドミントン部２年生。明るくハキハキした性格で、クラブを盛り上げるムードメーカー的存在。小柄だが、軽いフットワークを生かしたプレイが特徴。現在、レギュラー目指して練習する毎日を送る。」と表示されている。消費者は、このようなプロフィール表示欄７の表示を見ることにより、上記キャラクタに親近感を覚えることとなって、仮想モデルについて掴んだイメージをより一層具体的に把握し得ることとなる。
【００４０】
コメント表示欄８は、上記の仮想モデル（ここでは上記の花咲桃音という名の中学生のプレーヤ）が当該ガットを使用した場合に、その仮想モデルが発すると目される当該ガットに対するコメントを示すものである。この例では、「柔らかくて音がいい！クリアーもよく飛ぶし、こんなガット探してた！  THE FEELING! THE SOUND! THIS IS THE STRING I HAVE BEEN SEEKING FOR!」と表示されている。消費者は、このようなコメント表示欄８に記載されたコメントの内容が、あたかも現実のプレーヤが発したコメントのように受け取ることができるため、消費者はガットの自己への適合性についてより一層的確に把握し得ることとなる。
【００４１】
以上、本考案の一実施形態について、袋本体２内に上記構成の商品表示シート３をガットと共に収納する例を挙げて説明したが、本考案はこれに限らず、例えば、商品表示シート３を排して、袋本体２に上記した各表示欄４〜１１が直接印刷により設けられていてもよい。
【００４２】
また、パッケージとしてポリプロピレン製の袋を例に挙げたが、これに限らず、樹脂製のハードケース状のものであっても、或いは紙から構成される袋状のものや箱状のものであってもよい。
【００４３】
さらに、表示欄としては、少なくとも、性能データ表示欄４と仮想モデルプレーヤ表示欄５の２つがあればよく、これらにキャラクタの図柄６、キャラクタプロフィール表示欄７、コメント表示欄８の一つ又は複数を加えるのは任意である。
【００４４】
また、上記の実施形態では、バドミントン用のガットに適用されるパッケージについて説明したが、本考案は軟式テニス用のガットや硬式テニス用のガットにも適用し得るものである。
【図面の簡単な説明】
【００４５】
【図１】本考案の一実施形態におけるガット用パッケージの一例を示す背面図である。
【図２】図１に示すガット用パッケージの正面図である。
【図３】ガット用パッケージの他の例を示す背面図である。
【図４】図２に示すガット用パッケージの正面図である。
【符号の説明】
【００４６】
１  パッケージ
４  性能データ表示欄
５  仮想モデルプレーヤ表示欄
６  キヤラクタの図柄
７  キヤラクタプロフィール表示欄
８  コメント表示欄
【手続補正３】
【補正対象書類名】図面
【補正対象項目名】全図
【補正方法】変更
【補正の内容】
【図１】
0003148808.tif 000007
【図２】
0003148808.tif 000008
【図３】
0003148808.tif 000009
【図４】
0003148808.tif 000010